(57)【要約】      （修正有）【課題】メンバーシップサービスを提供する方法を提供する。【解決手段】ユーザ端末からユーザ情報を含むメンバーシップサービスの加入要請を受信。ユーザ端末からメンバーシップサービスに用いられる代表カードの代表カード情報を受信して登録。ユーザ端末から、メンバーシップサービスが提供される提携社のうち、代表カードを介してメンバーシップサービスの提供を受ける提携社の提携社選択情報を受信。ユーザ情報、提携社選択情報および代表カード情報をマッチングして格納、及び提携社選択情報に相応する提携社サーバからメンバーシップサービスの要請が受信されれば、提携社から提供するマイレージ、スタンプまたはクーポンをユーザ端末に提供することを含み、代表カードを用いた決済時に、代表カード情報にマッチングされた提携社のマイレージ、スタンプまたはクーポンを積み立てるか、又は既に積み立てられたこれらを決済に利用する。【選択図】図１
2014130604.tif 000002
【特許請求の範囲】
【請求項１】
ユーザ端末と接続されたメンバーシップサービス提供サーバがメンバーシップサービスを提供する方法であって、
ａ）前記ユーザ端末からユーザ情報を含むメンバーシップサービスの加入要請を受信するステップ、
ｂ）前記ユーザ端末から前記メンバーシップサービスに用いられる代表カードの代表カード情報を受信して登録するステップ、
ｃ）前記ユーザ端末から、前記メンバーシップサービスが提供される複数の提携社のうち、前記代表カードを介して前記メンバーシップサービスの提供を受ける提携社の提携社選択情報を受信するステップ、
ｄ）前記ユーザ情報、前記提携社選択情報および前記代表カード情報をマッチングして格納するステップ、および
ｅ）前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するステップを含み、
前記ｅ）前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するステップは、
前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されることを特徴とするメンバーシップサービス提供方法。
【請求項２】
前記ｂ）ステップは、
前記ユーザ端末から前記代表カード情報が受信されるステップ、
前記代表カード情報に相応するカード社サーバから前記代表カード情報が有効であるか否かを受信するステップ、および
前記代表カード情報の有効有無に応じて前記代表カードの登録可否を決定するステップを含むことを特徴とする、請求項１に記載のメンバーシップサービス提供方法。
【請求項３】
前記ｃ）ステップは、
前記ユーザ端末から前記提携社選択情報に相応する前記提携社の会員加入のための提携社会員加入情報を受信するステップ、および
前記提携社会員加入情報を前記提携社サーバに送信するステップを含むことを特徴とする、請求項１に記載のメンバーシップサービス提供方法。
【請求項４】
前記ユーザ端末に提供した前記マイレージ、スタンプまたはクーポンのうち少なくとも１つに変動事項が発生する場合、前記マイレージ、スタンプまたはクーポンの変動事項情報を前記ユーザ端末に提供するステップをさらに含むことを特徴とする、請求項１に記載のメンバーシップサービス提供方法。
【請求項５】
前記ユーザ端末から前記マイレージ、スタンプまたはクーポンの利用内訳情報の送信要請を受信するステップ、および
前記ユーザ端末に前記ユーザ情報に相応するユーザの前記マイレージ、スタンプまたはクーポンの利用内訳情報を提供するステップをさらに含むことを特徴とする、請求項１に記載のメンバーシップサービス提供方法。
【請求項６】
前記ユーザ端末から提供を受けたマイレージ、スタンプまたはクーポンのうち少なくとも一部を前記ユーザ端末の要請に応じて他のユーザ端末に提供するステップをさらに含むことを特徴とする、請求項１に記載のメンバーシップサービス提供方法。
【請求項７】
前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換するステップをさらに含むことを特徴とする、請求項１に記載のメンバーシップサービス提供方法。
【請求項８】
前記ユーザ端末から提供を受けた所定提携社のマイレージの少なくとも一部を前記ユーザ端末の要請に応じてスタンプまたはクーポンに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てるステップをさらに含むことを特徴とする、請求項１に記載のメンバーシップサービス提供方法。
【請求項９】
前記ユーザ端末が商品に印刷または付着したバーコード、ＱＲコード、一連番号またはＲＦＩＤのうち少なくとも１つから取得した情報を前記メンバーシップサービス提供サーバに登録すれば、前記登録された情報に相応するマイレージ、スタンプまたはクーポンを前記ユーザ端末に提供するステップをさらに含むことを特徴とする、請求項１に記載のメンバーシップサービス提供方法。
【請求項１０】
前記ユーザ情報と連係して予め登録されたユーザのＳＮＳアカウントの所定活動に応じ、所定提携社から提供するマイレージ、スタンプまたはクーポンのうち少なくとも一部を積み立てるステップをさらに含むことを特徴とする、請求項１に記載のメンバーシップサービス提供方法。
【請求項１１】
加盟店ＰＯＳ端末が音源にＡＤコード（ａｄｖｅｒｔｉｓｅｍｅｎｔ  ｃｏｄｅ）を付加してスピーカーを介して音波として出力するステップ、
前記ユーザ端末が前記出力される音波を検知し、検知された音波からＡＤコードを認識するステップ、
前記ユーザ端末が前記認識されたＡＤコードを介して該加盟店に連係した提携社選択情報を認知し、認知された提携社選択情報が登録されているか否かを判断するステップ、
前記判断の結果、登録されていない場合、前記ユーザ端末がメンバーシップサービス提供サーバに提携社選択情報を要請して受信し、受信された提携社選択情報をユーザ情報および代表カード情報とマッチングして登録し、代表カードを介したメンバーシップサービスの要請を通じて該提携社のマイレージ、スタンプまたはクーポンのうち少なくとも１つを積み立てるステップ、および
前記判断の結果、登録されている場合、前記ユーザ端末が前記ＡＤコードを介して提供される該提携社のマイレージ、スタンプまたはクーポンのうち少なくとも１つ以上を前記メンバーシップサービス提供サーバに要請して受信し、受信されたマイレージ、スタンプまたはクーポンを積み立てるか、または積み立てられたマイレージ、スタンプまたはクーポンのうち少なくとも１つ以上を代表カードの決済に利用するステップを含むことを特徴とするメンバーシップサービス提供方法。
【請求項１２】
ユーザ端末と接続されたメンバーシップサービス提供サーバがメンバーシップサービスを提供する方法であって、
ａ）前記ユーザ端末からユーザ情報を含むメンバーシップサービスの加入要請を受信するステップ、
ｂ）前記ユーザ端末から前記メンバーシップサービスに用いられる代表カードの代表カード情報を受信して登録するステップ、
ｃ）前記ユーザ端末から、前記メンバーシップサービスが提供される複数の提携社のうち、前記代表カードを介して前記メンバーシップサービスの提供を受ける提携社の提携社選択情報を受信するステップ、
ｄ）前記ユーザ情報、前記提携社選択情報および前記代表カード情報をマッチングして格納するステップ、および
ｅ）前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザに提供するステップを含み、
前記代表カードは複数であることを特徴とするメンバーシップサービス提供方法。
【請求項１３】
前記ｄ）ステップは、
前記ユーザ情報、前記提携社選択情報に応じた提携社情報および前記複数の代表カード情報を一括マッチングして格納するステップを含むことを特徴とする、請求項１２に記載のメンバーシップサービス提供方法。
【請求項１４】
前記ｅ）ステップは、
前記提携社サーバから前記複数の代表カードのうちいずれか１つの代表カードを介したメンバーシップサービスの要請を受信すれば、前記メンバーシップサービスを要請した代表カードが前記提携社サーバに相応する提携社とマッチングされているか否かを確認するステップ、および
前記確認の結果、前記メンバーシップサービスの要請代表カードと前記提携社がマッチングされていれば、前記提携社から提供するマイレージ、スタンプまたはクーポンのうち少なくとも１つを前記ユーザに提供するステップを含むことを特徴とする、請求項１３に記載のメンバーシップサービス提供方法。
【請求項１５】
前記確認の結果、前記メンバーシップサービスの要請代表カードと前記提携社がマッチングされていれば、前記提携社から提供するマイレージ、スタンプまたはクーポンのうち少なくとも１つを前記ユーザに提供するステップは、
前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されることを特徴とする、請求項１４に記載のメンバーシップサービス提供方法。
【請求項１６】
前記一括マッチングして格納するステップは、
前記提携社選択情報に応じた提携社のうち、１つの代表カードのみマッチングになる単一提携社が含まれている場合、前記単一提携社の情報は前記ユーザ情報および前記複数の代表カードのうちいずれか１つの代表カード情報とマッチングされることを特徴とする、請求項１４に記載のメンバーシップサービス提供方法。
【請求項１７】
前記複数の代表カードのうちいずれか１つは、
前記ユーザ端末を介して受信された主な代表カード選択情報に応じて決定されることを特徴とする、請求項１６に記載のメンバーシップサービス提供方法。
【請求項１８】
前記ユーザ端末から提供を受けたマイレージ、スタンプまたはクーポンのうち少なくとも一部を前記ユーザ端末の要請に応じて他のユーザ端末に提供するステップをさらに含むことを特徴とする、請求項１２に記載のメンバーシップサービス提供方法。
【請求項１９】
前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換するステップをさらに含むことを特徴とする、請求項１２に記載のメンバーシップサービス提供方法。
【請求項２０】
前記ユーザ端末から提供を受けた所定提携社のマイレージの少なくとも一部を前記ユーザ端末の要請に応じてクーポンまたはスタンプに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てるステップをさらに含むことを特徴とする、請求項１２に記載のメンバーシップサービス提供方法。
【請求項２１】
前記ユーザ端末が商品に印刷または付着したバーコード、ＱＲコード、一連番号またはＲＦＩＤのうち少なくとも１つから取得した情報を前記メンバーシップサービス提供サーバに登録すれば、前記登録された情報に相応するマイレージ、スタンプまたはクーポンを前記ユーザ端末に提供するステップをさらに含むことを特徴とする、請求項１２に記載のメンバーシップサービス提供方法。
【請求項２２】
前記ユーザ情報と連係して予め登録されたユーザのＳＮＳアカウントの所定活動に応じ、所定提携社から提供するマイレージ、スタンプまたはクーポンのうち少なくとも一部を積み立てるステップをさらに含むことを特徴とする、請求項１２に記載のメンバーシップサービス提供方法。
【請求項２３】
加盟店ＰＯＳ端末が音源にＡＤコード（ａｄｖｅｒｔｉｓｅｍｅｎｔ  ｃｏｄｅ）を付加してスピーカーを介して音波として出力するステップ、
前記ユーザ端末が前記出力される音波を検知し、検知された音波からＡＤコードを認識するステップ、
前記ユーザ端末が前記認識されたＡＤコードを介して該加盟店に連係した提携社選択情報を認知し、認知された提携社選択情報が登録されているか否かを判断するステップ、
前記判断の結果、登録されていない場合、前記ユーザ端末がメンバーシップサービス提供サーバに提携社選択情報を要請して受信し、受信された提携社選択情報をユーザ情報および代表カード情報とマッチングして登録し、代表カードを介したメンバーシップサービスの要請を通じて該提携社のマイレージ、スタンプまたはクーポンのうち少なくとも１つを積み立てるステップ、および
前記判断の結果、登録されている場合、前記ユーザ端末が前記ＡＤコードを介して提供される該提携社のマイレージ、スタンプまたはクーポンのうち少なくとも１つ以上を前記メンバーシップサービス提供サーバに要請して受信し、受信されたマイレージ、スタンプまたはクーポンを積み立てるか、または積み立てられたマイレージ、スタンプまたはクーポンのうち少なくとも１つ以上を代表カードの決済に利用するステップを含み、
前記代表カードは複数であることを特徴とするメンバーシップサービス提供方法。
【請求項２４】
請求項１〜２３のいずれか１項に記載の方法を実行させるプログラムが記録されたコンピュータで読み取り可能な記録媒体。
【請求項２５】
ユーザ端末と接続されてメンバーシップサービスを提供するメンバーシップサービス提供サーバであって、
前記ユーザ端末からユーザ情報を含むメンバーシップサービスの加入要請を受信するメンバーシップサービス加入要請受信部、
前記ユーザ端末から、前記メンバーシップサービスに用いられる代表カードの代表カード情報を受信して登録する代表カード情報登録部、
前記ユーザ端末から、前記メンバーシップサービスが提供される複数の提携社のうち、前記代表カードを介して前記メンバーシップサービスの提供を受ける提携社の提携社選択情報を受信する提携社選択情報受信部、
前記ユーザ情報、前記提携社選択情報および前記代表カード情報をマッチングして格納する格納部、および
前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するメンバーシップサービス提供部を含み、
前記メンバーシップサービス提供部は、
前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されることを特徴とするメンバーシップサービス提供サーバ。
【請求項２６】
前記代表カード情報登録部は、
前記代表カード情報が受信されれば、前記代表カード情報に相応するカード社サーバから前記代表カード情報が有効であるか否かを受信する代表カード情報有効有無確認部、および
前記代表カード情報の有効有無に応じて前記代表カードの登録可否を決定する代表カード登録決定部を含むことを特徴とする、請求項２５に記載のメンバーシップサービス提供サーバ。
【請求項２７】
前記提携社選択情報受信部は、
前記ユーザ端末から前記提携社選択情報に相応する前記提携社の会員加入のための提携社会員加入情報を受信し、
前記提携社会員加入情報を前記提携社サーバに送信する提携社会員加入情報送受信部を含むことを特徴とする、請求項２５に記載のメンバーシップサービス提供サーバ。
【請求項２８】
前記メンバーシップサービス提供部は、
前記ユーザに提供した前記マイレージ、スタンプまたはクーポンのうち少なくとも１つに変動事項が発生する場合、前記マイレージ、スタンプまたはクーポンの変動事項情報を前記ユーザ端末に提供する変動事項情報提供部を含むことを特徴とする、請求項２５に記載のメンバーシップサービス提供サーバ。
【請求項２９】
前記メンバーシップサービス提供部は、
前記ユーザ端末から前記マイレージ、スタンプまたはクーポンの利用内訳情報の送信要請を受信すれば、前記ユーザ端末に前記ユーザ情報に相応するユーザの前記マイレージ、スタンプまたはクーポンの利用内訳情報を提供する利用内訳情報提供部を含むことを特徴とする、請求項２５に記載のメンバーシップサービス提供サーバ。
【請求項３０】
前記メンバーシップサービス提供部は、
前記ユーザ端末から提供を受けたマイレージ、スタンプまたはクーポンのうち少なくとも一部を前記ユーザ端末の要請に応じて他のユーザ端末に提供することを特徴とする、請求項２５に記載のメンバーシップサービス提供サーバ。
【請求項３１】
前記メンバーシップサービス提供部は、
前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換することを特徴とする、請求項２５に記載のメンバーシップサービス提供サーバ。
【請求項３２】
前記メンバーシップサービス提供部は、
前記ユーザ端末から提供を受けた所定提携社のマイレージの少なくとも一部を前記ユーザ端末の要請に応じてスタンプまたはクーポンに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てることを特徴とする、請求項２５に記載のメンバーシップサービス提供サーバ。
【請求項３３】
前記メンバーシップサービス提供部は、
前記ユーザ端末の要請に応じて商品に印刷または付着したバーコード、ＱＲコード、一連番号またはＲＦＩＤのうち少なくとも１つから取得された情報が登録されれば、前記登録された情報に相応するマイレージ、スタンプまたはクーポンを前記ユーザ端末に提供することを特徴とする、請求項２５に記載のメンバーシップサービス提供サーバ。
【請求項３４】
前記メンバーシップサービス提供部は、
前記ユーザ情報と連係して予め登録されたユーザのＳＮＳアカウントの所定活動に応じ、所定提携社から提供するマイレージ、スタンプまたはクーポンのうち少なくとも一部を積み立てることを特徴とする、請求項２５に記載のメンバーシップサービス提供サーバ。
【請求項３５】
ユーザ端末と接続されてメンバーシップサービスを提供するメンバーシップサービス提供サーバであって、
前記ユーザ端末からユーザ情報を含むメンバーシップサービスの加入要請を受信するメンバーシップサービス加入要請受信部、
前記ユーザ端末から、前記メンバーシップサービスに用いられる代表カードの代表カード情報を受信して登録する代表カード情報登録部、
前記ユーザ端末から、前記メンバーシップサービスが提供される複数の提携社のうち、前記代表カードを介して前記メンバーシップサービスの提供を受ける提携社の提携社選択情報を受信する提携社選択情報受信部、
前記ユーザ情報、前記提携社選択情報および前記代表カード情報をマッチングして格納する格納部、および
前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するメンバーシップサービス提供部を含み、
前記代表カードは複数であることを特徴とするメンバーシップサービス提供サーバ。
【請求項３６】
前記格納部は、
前記ユーザ情報、前記提携社選択情報に応じた提携社情報および前記複数の代表カード情報を一括マッチングして格納することを特徴とする、請求項３５に記載のメンバーシップサービス提供サーバ。
【請求項３７】
前記メンバーシップサービス提供部は、
前記提携社サーバから前記複数の代表カードのうちいずれか１つの代表カードを介したメンバーシップサービスの要請を受信すれば、前記メンバーシップサービスを要請した代表カードが前記提携社サーバに相応する提携社とマッチングされているか否かを確認し、確認の結果、前記メンバーシップサービスの要請代表カードと前記提携社がマッチングされていれば、前記提携社から提供するマイレージ、スタンプまたはクーポンのうち少なくとも１つを前記ユーザ端末に提供することを特徴とする、請求項３６に記載のメンバーシップサービス提供サーバ。
【請求項３８】
前記メンバーシップサービス提供部は、
前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されることを特徴とする、請求項３７に記載のメンバーシップサービス提供サーバ。
【請求項３９】
前記格納部は、
前記提携社選択情報に応じた提携社のうち、１つの代表カードのみマッチングになる単一提携社が含まれている場合、前記単一提携社の情報を前記ユーザ情報および前記複数の代表カードのうちいずれか１つの代表カード情報とマッチングすることを特徴とする、請求項３８に記載のメンバーシップサービス提供サーバ。
【請求項４０】
前記格納部は、
前記単一提携社とマッチングされた前記複数の代表カードのうちいずれか１つを、前記ユーザ端末を介して受信された主な代表カード選択情報に応じて決定することを特徴とする、請求項３９に記載のメンバーシップサービス提供サーバ。
【請求項４１】
前記メンバーシップサービス提供部は、
前記ユーザ端末から提供を受けたマイレージ、スタンプまたはクーポンのうち少なくとも一部を前記ユーザ端末の要請に応じて他のユーザ端末に提供することを特徴とする、請求項３９に記載のメンバーシップサービス提供サーバ。
【請求項４２】
前記メンバーシップサービス提供部は、
前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換することを特徴とする、請求項３５に記載のメンバーシップサービス提供サーバ。
【請求項４３】
前記メンバーシップサービス提供部は、
前記ユーザ端末から提供を受けた所定提携社のマイレージの少なくとも一部を前記ユーザ端末の要請に応じてスタンプまたはクーポンに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てることを特徴とする、請求項３５に記載のメンバーシップサービス提供サーバ。
【請求項４４】
前記メンバーシップサービス提供部は、
前記ユーザ端末の要請に応じて商品に印刷または付着したバーコード、ＱＲコード、一連番号またはＲＦＩＤのうち少なくとも１つから取得された情報が登録されれば、前記登録された情報に相応するマイレージ、スタンプまたはクーポンを前記ユーザ端末に提供することを特徴とする、請求項３５に記載のメンバーシップサービス提供サーバ。
【請求項４５】
前記メンバーシップサービス提供部は、
前記ユーザ情報と連係して予め登録されたユーザのＳＮＳアカウントの所定活動に応じ、所定提携社から提供するマイレージ、スタンプまたはクーポンのうち少なくとも一部を積み立てることを特徴とする、請求項３５に記載のメンバーシップサービス提供サーバ。
【請求項４６】
予め登録されたユーザ別の代表カード情報とマッチングされた提携社選択情報のマイレージ、スタンプまたはクーポンを提供するメンバーシップサービス提供サーバ、
音源にＡＤコード（ａｄｖｅｒｔｉｓｅｍｅｎｔ  ｃｏｄｅ）を付加してスピーカーを介して音波として出力する加盟店ＰＯＳ端末、および
前記出力される音波を検知し、検知された音波からＡＤコードを認識し、前記認識されたＡＤコードを介して該加盟店に連係した提携社選択情報のマイレージ、スタンプまたはクーポンをメンバーシップサービス提供サーバに要請し、マイレージ、スタンプまたはクーポンを受信して積み立てし、前記提携社選択情報に予めマッチングして格納された代表カードを用いた決済時に前記積み立てられたマイレージ、スタンプまたはクーポンを利用するユーザ端末を含むことを特徴とするメンバーシップサービス提供システム。
【請求項４７】
前記ユーザ端末は、
前記認識されたＡＤコードを介して該提携社選択情報が格納されているか否かを判断し、判断の結果、格納されていない場合、前記メンバーシップサービス提供サーバに前記提携社選択情報を要請して受信し、受信された提携社選択情報を前記代表カード情報とマッチングして格納し、
前記メンバーシップ提供サーバは、
前記提携社選択情報の要請に応じて前記提携社選択情報を前記ユーザ端末に送信するように構成されることを特徴とする、請求項４６に記載のメンバーシップサービス提供システム。
【請求項４８】
予め登録されたユーザ別の代表カード情報とマッチングされた提携社選択情報のマイレージ、スタンプまたはクーポンを提供するメンバーシップサービス提供サーバ、
音源にＡＤコード（ａｄｖｅｒｔｉｓｅｍｅｎｔ  ｃｏｄｅ）を付加してスピーカーを介して音波として出力する加盟店ＰＯＳ端末、および
前記出力される音波を検知し、検知された音波からＡＤコードを認識し、前記認識されたＡＤコードを介して該加盟店に連係した提携社選択情報のマイレージ、スタンプまたはクーポンをメンバーシップサービス提供サーバに要請し、マイレージ、スタンプまたはクーポンを受信して積み立てし、前記提携社選択情報に予めマッチングして格納された代表カードを用いた決済時に前記積み立てられたマイレージ、スタンプまたはクーポンを利用するユーザ端末を含み、
前記代表カードは複数であることを特徴とするメンバーシップサービス提供システム。
【請求項４９】
前記ユーザ端末は、
前記認識されたＡＤコードを介して該提携社選択情報が格納されているか否かを判断し、判断の結果、格納されていない場合、前記メンバーシップサービス提供サーバに前記提携社選択情報を要請して受信し、受信された提携社選択情報を前記代表カード情報とマッチングして格納し、
前記メンバーシップ提供サーバは、
前記提携社選択情報の要請に応じて前記提携社選択情報を前記ユーザ端末に送信することを特徴とする、請求項４８に記載のメンバーシップサービス提供システム。
【発明の詳細な説明】
【技術分野】
【０００１】
本発明は、メンバーシップサービス提供方法、サーバおよびシステムに関し、より詳しくは、代表カードを介してメンバーシップサービスを提供するメンバーシップサービス提供方法、サーバおよびシステムに関する。
【背景技術】
【０００２】
近来、クレジットカード、交通カード、チェックカード、キャッシュカードなどの様々なカードが普及されるにつれ、現金よりはカードを所持するユーザが増加している傾向である。これは、紙幣やコインなどの現金を所持する場合、財布の厚さや重さが増加して所持するのに不便であるだけでなく、紛失や盗難の危険があるためである。このため、ユーザは、現金より所持し易く、様々な企業での活用度が高く、各種の利益が提供されるカードをより好むようなった。
【０００３】
しかし、ユーザは、クレジットカード、チェックカード、プリペイドカードなどの決済カードだけでなく、カード形態のＩＤカード、各種企業が発行したメンバーシップカード、マイレージカードなどに至るまであまりにも多いカードを所持するようになるにつれ、これに対する不便を感じ、活用頻度の多い交通カード、クレジットカードなどを除いては携帯を避けるようになった。これにより、会員カード、メンバーシップカード、マイレージカードなどを発給した企業は、カードの発給費用だけを負担したまま顧客は誘致し難く、さらにユーザにとってもマイレージ（または、ポイント）の積み立て、クーポン発給などの利益を享受し難くなる。
【０００４】
また、カード社は色々な提携社のメンバーシップやマイレージなどを１つのカードで管理できるサービスを一部提供しているが、この場合も別途のカードを発給してもらわなければならない不便があるので利用しようとするユーザが限定的であり、カード社にとってもカードの発給費用を支払わなければならないという問題点がある。
【発明の概要】
【発明が解決しようとする課題】
【０００５】
本発明の目的は、ユーザの登録された代表カードと連係したメンバーシップサービス提供方法を提供することにある。
本発明の他の目的は、ユーザの登録された代表カードと連係したメンバーシップサービス提供方法を実行させるプログラムが記録されたコンピュータで読み取り可能な記録媒体を提供することにある。
【０００６】
本発明のまた他の目的は、ユーザの登録された代表カードと連係したメンバーシップサービス提供サーバを提供することにある。
本発明のさらに他の目的は、ユーザの登録された代表カードと連係したメンバーシップサービス提供システムを提供することにある。
【課題を解決するための手段】
【０００７】
上述した本発明の目的を達成するためのメンバーシップサービス提供方法は、ユーザ端末と接続されたメンバーシップサービス提供サーバがメンバーシップサービスを提供する方法であって、ａ）前記ユーザ端末からユーザ情報を含むメンバーシップサービスの加入要請を受信するステップ、ｂ）前記ユーザ端末から前記メンバーシップサービスに用いられる代表カードの代表カード情報を受信して登録するステップ、ｃ）前記ユーザ端末から、前記メンバーシップサービスが提供される複数の提携社のうち、前記代表カードを介して前記メンバーシップサービスの提供を受ける提携社の提携社選択情報を受信するステップ、ｄ）前記ユーザ情報、前記提携社選択情報および前記代表カード情報をマッチングして格納するステップ、およびｅ）前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するステップを含むように構成されても良い。
【０００８】
この時、前記ｅ）前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するステップは、前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されても良い。
【０００９】
また、前記ｂ）ステップは、前記ユーザ端末から前記代表カード情報が受信されるステップ、前記代表カード情報に相応するカード社サーバから前記代表カード情報が有効であるか否かを受信するステップ、および前記代表カード情報の有効有無に応じて前記代表カードの登録可否を決定するステップを含むように構成されても良い。
また、前記ｃ）ステップは、前記ユーザ端末から前記提携社選択情報に相応する前記提携社の会員加入のための提携社会員加入情報を受信するステップ、および前記提携社会員加入情報を前記提携社サーバに送信するステップを含むように構成されても良い。
【００１０】
また、前記ユーザ端末に提供した前記マイレージ、スタンプまたはクーポンのうち少なくとも１つに変動事項が発生する場合、前記マイレージ、スタンプまたはクーポンの変動事項情報を前記ユーザ端末に提供するステップをさらに含むように構成されても良い。
また、前記ユーザ端末から前記マイレージ、スタンプまたはクーポンの利用内訳情報の送信要請を受信するステップ、および前記ユーザ端末に前記ユーザ情報に相応するユーザの前記マイレージ、スタンプまたはクーポンの利用内訳情報を提供するステップをさらに含むように構成されても良い。
【００１１】
一方、前記ユーザ端末から提供を受けたマイレージ、スタンプまたはクーポンのうち少なくとも一部を前記ユーザ端末の要請に応じて他のユーザ端末に提供するステップをさらに含むように構成されても良い。
また、前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換するステップをさらに含むように構成されても良い。
【００１２】
また、前記ユーザ端末から提供を受けた所定提携社のマイレージの少なくとも一部を前記ユーザ端末の要請に応じてスタンプまたはクーポンに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てるステップをさらに含むように構成されても良い。
【００１３】
また、前記ユーザ端末が商品に印刷または付着したバーコード、ＱＲコード、一連番号またはＲＦＩＤのうち少なくとも１つから取得した情報を前記メンバーシップサービス提供サーバに登録すれば、前記登録された情報に相応するマイレージ、スタンプまたはクーポンを前記ユーザ端末に提供するステップをさらに含むように構成されても良い。
また、前記ユーザ情報と連係して予め登録されたユーザのＳＮＳアカウントの所定活動に応じ、所定提携社から提供するマイレージ、スタンプまたはクーポンのうち少なくとも一部を積み立てるステップをさらに含むように構成されても良い。
【００１４】
上述した本発明の目的を達成するためのメンバーシップサービス提供方法は、加盟店ＰＯＳ端末が音源にＡＤコードを付加してスピーカーを介して音波として出力するステップ、前記ユーザ端末が前記出力される音波を検知し、検知された音波からＡＤコードを認識するステップ、前記ユーザ端末が前記認識されたＡＤコードを介して該加盟店に連係した提携社選択情報を認知し、認知された提携社選択情報が登録されているか否かを判断するステップ、前記判断の結果、登録されていない場合、前記ユーザ端末がメンバーシップサービス提供サーバに提携社選択情報を要請して受信し、受信された提携社選択情報をユーザ情報および代表カード情報とマッチングして登録し、代表カードを介したメンバーシップサービスの要請を通じて該提携社のマイレージ、スタンプまたはクーポンのうち少なくとも１つを積み立てるステップ、および前記判断の結果、登録されている場合、前記ユーザ端末が前記ＡＤコードを介して提供される該提携社のマイレージ、スタンプまたはクーポンのうち少なくとも１つ以上を前記メンバーシップサービス提供サーバに要請して受信し、受信されたマイレージ、スタンプまたはクーポンを積み立てるか、または積み立てられたマイレージ、スタンプまたはクーポンのうち少なくとも１つ以上を代表カードの決済に利用するステップを含むように構成されても良い。
【００１５】
上述した本発明の目的を達成するためのメンバーシップサービス提供方法は、ユーザ端末と接続されたメンバーシップサービス提供サーバがメンバーシップサービスを提供する方法であって、ａ）前記ユーザ端末からユーザ情報を含むメンバーシップサービスの加入要請を受信するステップ、ｂ）前記ユーザ端末から前記メンバーシップサービスに用いられる代表カードの代表カード情報を受信して登録するステップ、ｃ）前記ユーザ端末から、前記メンバーシップサービスが提供される複数の提携社のうち、前記代表カードを介して前記メンバーシップサービスの提供を受ける提携社の提携社選択情報を受信するステップ、ｄ）前記ユーザ情報、前記提携社選択情報および前記代表カード情報をマッチングして格納するステップ、およびｅ）前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザに提供するステップを含み、前記代表カードは複数で構成されても良い。
【００１６】
ここで、前記ｄ）ステップは、前記ユーザ情報、前記提携社選択情報に応じた提携社情報および前記複数の代表カード情報を一括マッチングして格納するステップを含むように構成されても良い。
また、前記ｅ）ステップは、前記提携社サーバから前記複数の代表カードのうちいずれか１つの代表カードを介したメンバーシップサービスの要請を受信すれば、前記メンバーシップサービスを要請した代表カードが前記提携社サーバに相応する提携社とマッチングされているか否かを確認するステップ、および前記確認の結果、前記メンバーシップサービスの要請代表カードと前記提携社がマッチングされていれば、前記提携社から提供するマイレージ、スタンプまたはクーポンのうち少なくとも１つを前記ユーザに提供するステップを含むように構成されても良い。
【００１７】
また、前記確認の結果、前記メンバーシップサービスの要請代表カードと前記提携社がマッチングされていれば、前記提携社から提供するマイレージ、スタンプまたはクーポンのうち少なくとも１つを前記ユーザに提供するステップは、前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されても良い。
【００１８】
また、前記一括マッチングして格納するステップは、前記提携社選択情報に応じた提携社のうち、１つの代表カードのみマッチングになる単一提携社が含まれている場合、前記単一提携社の情報は前記ユーザ情報および前記複数の代表カードのうちいずれか１つの代表カード情報とマッチングされるように構成されても良い。
また、前記複数の代表カードのうちいずれか１つは、前記ユーザ端末を介して受信された主な代表カード選択情報に応じて決定されることが好ましい。
【００１９】
一方、前記ユーザ端末から提供を受けたマイレージ、スタンプまたはクーポンのうち少なくとも一部を前記ユーザ端末の要請に応じて他のユーザ端末に提供するステップをさらに含むように構成されても良い。
また、前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換するステップをさらに含むように構成されても良い。
【００２０】
また、前記ユーザ端末から提供を受けた所定提携社のマイレージの少なくとも一部を前記ユーザ端末の要請に応じてクーポンまたはスタンプに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てるステップをさらに含むように構成されても良い。
【００２１】
また、前記ユーザ端末が商品に印刷または付着したバーコード、ＱＲコード、一連番号またはＲＦＩＤのうち少なくとも１つから取得した情報を前記メンバーシップサービス提供サーバに登録すれば、前記登録された情報に相応するマイレージ、スタンプまたはクーポンを前記ユーザ端末に提供するステップをさらに含むように構成されても良い。
また、前記ユーザ情報と連係して予め登録されたユーザのＳＮＳアカウントの所定活動に応じ、所定提携社から提供するマイレージ、スタンプまたはクーポンのうち少なくとも一部を積み立てるステップをさらに含むように構成されても良い。
【００２２】
上述した本発明の目的を達成するためのメンバーシップサービス提供方法は、加盟店ＰＯＳ端末が音源にＡＤコードを付加してスピーカーを介して音波として出力するステップ、前記ユーザ端末が前記出力される音波を検知し、検知された音波からＡＤコードを認識するステップ、前記ユーザ端末が前記認識されたＡＤコードを介して該加盟店に連係した提携社選択情報を認知し、認知された提携社選択情報が登録されているか否かを判断するステップ、前記判断の結果、登録されていない場合、前記ユーザ端末がメンバーシップサービス提供サーバに提携社選択情報を要請して受信し、受信された提携社選択情報をユーザ情報および代表カード情報とマッチングして登録し、代表カードを介したメンバーシップサービスの要請を通じて該提携社のマイレージ、スタンプまたはクーポンのうち少なくとも１つを積み立てるステップ、および前記判断の結果、登録されている場合、前記ユーザ端末が前記ＡＤコードを介して提供される該提携社のマイレージ、スタンプまたはクーポンのうち少なくとも１つ以上を前記メンバーシップサービス提供サーバに要請して受信し、受信されたマイレージ、スタンプまたはクーポンを積み立てるか、または積み立てられたマイレージ、スタンプまたはクーポンのうち少なくとも１つ以上を代表カードの決済に利用するステップを含み、前記代表カードは複数で構成されても良い。
【００２３】
上述した本発明の他の目的を達成するためのコンピュータで読み取り可能な記録媒体は、前記メンバーシップサービス提供方法を実行させるプログラムが記録されるものとして構成されても良い。
上述した本発明のまた他の目的を達成するためのメンバーシップサービス提供サーバは、ユーザ端末と接続されてメンバーシップサービスを提供するメンバーシップサービス提供サーバであって、前記ユーザ端末からユーザ情報を含むメンバーシップサービスの加入要請を受信するメンバーシップサービス加入要請受信部、前記ユーザ端末から、前記メンバーシップサービスに用いられる代表カードの代表カード情報を受信して登録する代表カード情報登録部、前記ユーザ端末から、前記メンバーシップサービスが提供される複数の提携社のうち、前記代表カードを介して前記メンバーシップサービスの提供を受ける提携社の提携社選択情報を受信する提携社選択情報受信部、前記ユーザ情報、前記提携社選択情報および前記代表カード情報をマッチングして格納する格納部、および前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するメンバーシップサービス提供部を含み、この時、前記メンバーシップサービス提供部は、前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されても良い。
【００２４】
ここで、前記代表カード情報登録部は、前記代表カード情報が受信されれば、前記代表カード情報に相応するカード社サーバから前記代表カード情報が有効であるか否かを受信する代表カード情報有効有無確認部、および前記代表カード情報の有効有無に応じて前記代表カードの登録可否を決定する代表カード登録決定部を含むように構成されても良い。
また、前記提携社選択情報受信部は、前記ユーザ端末から前記提携社選択情報に相応する前記提携社の会員加入のための提携社会員加入情報を受信し、前記提携社会員加入情報を前記提携社サーバに送信する提携社会員加入情報送受信部をさらに含むように構成されても良い。
【００２５】
また、前記メンバーシップサービス提供部は、前記ユーザに提供した前記マイレージ、スタンプまたはクーポンのうち少なくとも１つに変動事項が発生する場合、前記マイレージ、スタンプまたはクーポンの変動事項情報を前記ユーザ端末に提供する変動事項情報提供部を含むように構成されても良い。
また、前記メンバーシップサービス提供部は、前記ユーザ端末から前記マイレージ、スタンプまたはクーポンの利用内訳情報の送信要請を受信すれば、前記ユーザ端末に前記ユーザ情報に相応するユーザの前記マイレージ、スタンプまたはクーポンの利用内訳情報を提供する利用内訳情報提供部を含むように構成されても良い。
【００２６】
一方、前記メンバーシップサービス提供部は、前記ユーザ端末から提供を受けたマイレージ、スタンプまたはクーポンのうち少なくとも一部を前記ユーザ端末の要請に応じて他のユーザ端末に提供するように構成されても良い。
また、前記メンバーシップサービス提供部は、前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換するように構成されても良い。
【００２７】
また、前記メンバーシップサービス提供部は、前記ユーザ端末から提供を受けた所定提携社のマイレージの少なくとも一部を前記ユーザ端末の要請に応じてスタンプまたはクーポンに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てるように構成されても良い。
【００２８】
また、前記メンバーシップサービス提供部は、前記ユーザ端末の要請に応じて商品に印刷または付着したバーコード、ＱＲコード、一連番号またはＲＦＩＤのうち少なくとも１つから取得された情報が登録されれば、前記登録された情報に相応するマイレージ、スタンプまたはクーポンを前記ユーザ端末に提供するように構成されても良い。
また、前記メンバーシップサービス提供部は、前記ユーザ情報と連係して予め登録されたユーザのＳＮＳアカウントの所定活動に応じ、所定提携社から提供するマイレージ、スタンプまたはクーポンのうち少なくとも一部を積み立てるように構成されても良い。
【００２９】
上述した本発明のまた他の目的を達成するためのメンバーシップサービス提供サーバは、ユーザ端末と接続されてメンバーシップサービスを提供するメンバーシップサービス提供サーバであって、前記ユーザ端末からユーザ情報を含むメンバーシップサービスの加入要請を受信するメンバーシップサービス加入要請受信部、前記ユーザ端末から、前記メンバーシップサービスに用いられる代表カードの代表カード情報を受信して登録する代表カード情報登録部、前記ユーザ端末から、前記メンバーシップサービスが提供される複数の提携社のうち、前記代表カードを介して前記メンバーシップサービスの提供を受ける提携社の提携社選択情報を受信する提携社選択情報受信部、前記ユーザ情報、前記提携社選択情報および前記代表カード情報をマッチングして格納する格納部、および前記提携社選択情報に相応する提携社サーバから前記代表カードを介したメンバーシップサービスの要請が受信されれば、前記提携社から提供するマイレージ、スタンプまたはクーポンのうち少なくとも１つを前記ユーザ情報に応じたユーザ端末に提供するメンバーシップサービス提供部を含み、前記代表カードは複数で構成されても良い。
【００３０】
また、前記格納部は、前記ユーザ情報、前記提携社選択情報に応じた提携社情報および前記複数の代表カード情報を一括マッチングして格納するように構成されても良い。
また、前記メンバーシップサービス提供部は、前記提携社サーバから前記複数の代表カードのうちいずれか１つの代表カードを介したメンバーシップサービスの要請を受信すれば、前記メンバーシップサービスを要請した代表カードが前記提携社サーバに相応する提携社とマッチングされているか否かを確認し、確認の結果、前記メンバーシップサービスの要請代表カードと前記提携社がマッチングされていれば、前記提携社から提供するマイレージ、スタンプまたはクーポンのうち少なくとも１つを前記ユーザ端末に提供するように構成されても良い。
【００３１】
また、前記メンバーシップサービス提供部は、前記代表カードを用いた決済時に、該代表カード情報にマッチングされた提携社のマイレージ、スタンプまたはクーポンのうち少なくとも１つ以上を積み立てるか、または既に積み立てられたマイレージ、スタンプまたはクーポンを決済に利用するように構成されても良い。
また、前記格納部は、前記提携社選択情報に応じた提携社のうち、１つの代表カードのみマッチングになる単一提携社が含まれている場合、前記単一提携社の情報を前記ユーザ情報および前記複数の代表カードのうちいずれか１つの代表カード情報とマッチングするように構成されても良い。
【００３２】
また、前記格納部は、前記単一提携社とマッチングされた前記複数の代表カードのうちいずれか１つを、前記ユーザ端末を介して受信された主な代表カード選択情報に応じて決定するように構成されても良い。
一方、前記メンバーシップサービス提供部は、前記ユーザ端末から提供を受けたマイレージ、スタンプまたはクーポンのうち少なくとも一部を前記ユーザ端末の要請に応じて他のユーザ端末に提供するように構成されても良い。
【００３３】
また、前記メンバーシップサービス提供部は、前記ユーザ端末から提供を受けた所定提携社のマイレージ、スタンプまたはクーポンのうち少なくとも一部を前記ユーザ端末の要請に応じて他の提携社のマイレージ、スタンプまたはクーポンに転換するように構成されても良い。
また、前記メンバーシップサービス提供部は、前記ユーザ端末から提供を受けた所定提携社のマイレージの少なくとも一部を前記ユーザ端末の要請に応じてスタンプまたはクーポンに転換して積み立てるか、前記ユーザ端末から提供を受けた所定提携社のスタンプを前記ユーザ端末の要請に応じてマイレージまたはクーポンに転換して積み立てるか、または前記ユーザ端末から提供を受けた所定提携社のクーポンを前記ユーザ端末の要請に応じてマイレージまたはスタンプに転換して積み立てるように構成されても良い。
【００３４】
また、前記メンバーシップサービス提供部は、前記ユーザ端末の要請に応じて商品に印刷または付着したバーコード、ＱＲコード、一連番号またはＲＦＩＤのうち少なくとも１つから取得された情報が登録されれば、前記登録された情報に相応するマイレージ、スタンプまたはクーポンを前記ユーザ端末に提供するように構成されても良く、これは、メンバーシップを提供する製造社の製品だけでなく、メンバーシップを提供しない製造社から提供する製品に対していずれも適用されることができる。但し、メンバーシップを提供しない製造社の製品の場合は、ユーザが製品に印刷または付着したバーコードなどの情報を直接登録する場合に限ってマイレージなどが積み立てられる。
【００３５】
また、前記メンバーシップサービス提供部は、前記ユーザ情報と連係して予め登録されたユーザのＳＮＳアカウントの所定活動に応じ、所定提携社から提供するマイレージ、スタンプまたはクーポンのうち少なくとも一部を積み立てるように構成されても良い。
上述した本発明のまた他の目的を達成するためのメンバーシップサービス提供システムは、予め登録されたユーザ別の代表カード情報とマッチングされた提携社選択情報のマイレージ、スタンプまたはクーポンを提供するメンバーシップサービス提供サーバ、音源にＡＤコードを付加してスピーカーを介して音波として出力する加盟店ＰＯＳ端末、および前記出力される音波を検知し、検知された音波からＡＤコードを認識し、前記認識されたＡＤコードを介して該加盟店に連係した提携社選択情報のマイレージ、スタンプまたはクーポンをメンバーシップサービス提供サーバに要請し、マイレージ、スタンプまたはクーポンを受信して積み立てし、前記提携社選択情報に予めマッチングして格納された代表カードを用いた決済時に前記積み立てられたマイレージ、スタンプまたはクーポンを利用するユーザ端末を含むように構成されても良い。
【００３６】
この時、前記ユーザ端末は、前記認識されたＡＤコードを介して該提携社選択情報が格納されているか否かを判断し、判断の結果、格納されていない場合、前記メンバーシップサービス提供サーバに前記提携社選択情報を要請して受信し、受信された提携社選択情報を前記代表カード情報とマッチングして格納するように構成されても良い。この時、ユーザ端末は、前記提携社選択情報をＳＭＳ、プッシュ（Ｐｕｓｈ）メッセージ、ポップアップなどの形態で画面に表示しても良い。また、前記メンバーシップ提供サーバは、前記提携社選択情報の要請に応じて前記提携社選択情報を前記ユーザ端末に送信するように構成されても良い。
【００３７】
上述した本発明のまた他の目的を達成するためのメンバーシップサービス提供システムは、予め登録されたユーザ別の代表カード情報とマッチングされた提携社選択情報のマイレージ、スタンプまたはクーポンを提供するメンバーシップサービス提供サーバ、音源にＡＤコードを付加してスピーカーを介して音波として出力する加盟店ＰＯＳ端末、および前記出力される音波を検知し、検知された音波からＡＤコードを認識し、前記認識されたＡＤコードを介して該加盟店に連係した提携社選択情報のマイレージ、スタンプまたはクーポンをメンバーシップサービス提供サーバに要請し、マイレージ、スタンプまたはクーポンを受信して積み立てし、前記提携社選択情報に予めマッチングして格納された代表カードを用いた決済時に前記積み立てられたマイレージ、スタンプまたはクーポンを利用するユーザ端末を含み、前記代表カードは複数で構成されても良い。
【００３８】
この時、前記ユーザ端末は、前記認識されたＡＤコードを介して該提携社選択情報が格納されているか否かを判断し、判断の結果、格納されていない場合、前記メンバーシップサービス提供サーバに前記提携社選択情報を要請して受信し、受信された提携社選択情報を前記代表カード情報とマッチングして格納するように構成されても良い。
また、前記メンバーシップ提供サーバは、前記提携社選択情報の要請に応じて前記提携社選択情報を前記ユーザ端末に送信するように構成されても良い。
【発明の効果】
【００３９】
本発明の一実施形態によれば、ユーザによりユーザが所持中のカードのうち代表カードが登録され、登録された代表カードを利用してメンバーシップサービスの提供を受けることにより、別のカードを発給しなくて済むことによってカード発給費用が節減できる。
本発明の一実施形態によれば、ユーザが複数の代表カードと提携社を一々マッチングして登録しなければならないという複雑な手続きを経ることなく、簡便に複数の代表カード情報と１つ以上の提携社選択情報を一括マッチングして登録することができるのでユーザの便宜性が増大できる。
【００４０】
また、本発明の一実施形態によれば、ＡＤコード（ａｄｖｅｒｔｉｓｅｍｅｎｔ  ｃｏｄｅ）を用いて加盟店の提携社情報をユーザ端末に提供し、ＡＤコードの情報を用いて該加盟店で利用可能な提携社のマイレージ、スタンプ、クーポンなどを積み立てて利用できるという効果がある。さらに、このようなＡＤコードを用いて提携加盟店の無利子、割引、積み立て無料などの案内情報を提供することができ、各種プロモーション（ｐｒｏｍｏｔｉｏｎ）情報を提供してイベントに参加するように誘導できるという効果がある。
【００４１】
また、ＡＤコードを受信したユーザ端末がＡＤコードを他の知人のユーザ端末に送信し、ＡＤコードのフォーン・ツー・フォーン（ｐｈｏｎｅ−ｔｏ−ｐｈｏｎｅ）送受信／承認になった回数だけ決済割引を提供するなどといった様々な情報を提供できるという効果がある。
本発明の効果は前記効果に限定されず、本発明の詳細な説明または特許請求の範囲に記載された発明の構成から推論できる全ての効果を含むものとして理解しなければならない。
【図面の簡単な説明】
【００４２】
【図１】本発明の一実施形態によるメンバーシップサービス提供システムの構成を示す図である。
【図２】本発明の一実施形態によるメンバーシップサービス提供サーバの構成を示す構成図である。
【図３】本発明の他の実施形態によるメンバーシップサービス提供方法を示すフローチャートである。
【発明を実施するための形態】
【００４３】
本発明は様々な変更を加えることができ、様々な実施形態を有することができるが、特定の実施形態を図面に例示し、発明を実施するための形態に詳しく説明する。しかし、これは、本発明を特定の実施形態に対して限定しようとするものではなく、本発明の思想および技術範囲に含まれる全ての変更、均等物乃至代替物を含むものとして理解しなければならない。各図面を説明する際に類似の参照符号は類似の構成要素に付する。
【００４４】
第１、第２、Ａ、Ｂなどの用語は様々な構成要素を説明するのに用いられることができるが、前記構成要素は前記用語によって限定されてはならない。前記用語は１つの構成要素を他の構成要素から区別する目的にのみ用いられる。例えば、本発明の権利範囲を逸脱することなく、第１構成要素は第２構成要素と命名されることができ、同じように第２構成要素も第１構成要素と命名されることができる。「および／または」という用語は、複数の関連の記載された項目の組み合わせまたは複数の関連の記載された項目のうちいずれか１つの項目を含む。
【００４５】
ある構成要素が他の構成要素に「連結されて」いるとか「接続されて」いると言及された時には、他の構成要素に直接に連結されているかまたは接続されていても良いが、その間に他の構成要素が存在しても良いということを理解しなければならない。その反面、ある構成要素が他の構成要素に「直接に連結されて」いるとか「直接に接続されて」いると言及された時には、その間に他の構成要素が存在していないということを理解しなければならない。
【００４６】
本出願に用いた用語は単に特定の実施形態を説明するために用いられたものであって、本発明を限定しようとするものではない。単数の表現は、文脈上、明らかに異なって意味しない限り、複数の表現を含む。本出願において、「含む」または「有する」などの用語は、明細書上に記載された特徴、数字、ステップ、動作、構成要素、部品またはこれらを組み合わせたものが存在することを指定しようとするものであり、１つまたはそれ以上の他の特徴や数字、ステップ、動作、構成要素、部品またはこれらを組み合わせたものなどの存在または付加可能性を予め排除しようとするものではないということを理解しなければならない。
【００４７】
異なって定義されない限り、技術的または科学的な用語を含めてここに用いられる全ての用語は、本発明が属する技術分野で通常の知識を有した者によって一般的に理解されるのと同じ意味を有している。一般的に用いられる辞典に定義されているような用語は関連技術の文脈上に有する意味と一致する意味を有するものとして解釈するべきであり、本出願で明らかに定義しない限り、理想的または過度に形式的な意味として解釈してはならない。
【００４８】
以下、本発明による好ましい実施形態について添付図面を参照して詳細に説明する。
図１は、本発明の一実施形態によるメンバーシップサービス提供システムの構成を示す図である。
図１を参照すれば、本発明の一実施形態によるメンバーシップサービス提供システムは、メンバーシップサービス提供サーバ１００、ユーザ端末２００、カード社サーバ３００、提携社サーバ４００、ＳＮＳサーバ５００および加盟店ＰＯＳ端末６００を含む。
【００４９】
ユーザ端末２００は、ユーザ情報を含むメンバーシップサービスの加入要請をメンバーシップサービス提供サーバ１００に送信する。この時、ユーザ端末２００は、ネットワークを介して遠隔地のサーバであるメンバーシップサービス提供サーバ１００と接続されるコンピュータや携帯用端末として実現されることができる。ここで、コンピュータは、例えばウェブブラウザー（ＷＥＢ  Ｂｒｏｗｓｅｒ）が搭載されたノート型パソコン、デスクトップ（ｄｅｓｋｔｏｐ）、ラップトップ（ｌａｐｔｏｐ）などを含み、携帯用端末は、例えば携帯性と移動性が保障される無線通信装置として、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）などのような全種類のハンドヘルド（Ｈａｎｄｈｅｌｄ）を基盤にした無線通信装置を含むことができる。
【００５０】
メンバーシップサービス提供サーバ１００がユーザ情報を含むメンバーシップサービスの加入要請を受信すれば、メンバーシップサービスの加入手続きが始まる。
ユーザ端末２００はメンバーシップサービスに用いられる代表カードの代表カード情報をメンバーシップサービス提供サーバ１００に送信するが、この時、代表カードはメンバーシップサービスを使用するためのカードであって、ユーザが所持しているカードのうち少なくともいずれか１つであることができる。
【００５１】
この時、代表カードは、クレジットカード、チェックカード、プリペイドカード、キャッシュカード、メンバーシップカード、マイレージカードのうち１つを含むことができる。例えば、ユーザは、本人が既に所持しているカードのうち、最もよく使用するカードを代表カードとして選択し、ユーザ端末２００を介して代表カード情報をメンバーシップサービス提供サーバ１００に送信することができる。
【００５２】
以下、本明細書上の代表カードとは、マッチングされた複数の提携社から提供するメンバーシップサービスの提供を受けるためにユーザが登録した代表カードを意味する。
一実施形態によれば、代表カードは複数であっても良く、ユーザがメンバーシップサービスの提供を受けるために選択した代表カードが複数である場合、ユーザ端末２００は複数の代表カード情報をメンバーシップサービス提供サーバ１００に送信して登録することができる。
【００５３】
メンバーシップサービス提供サーバ１００は、メンバーシップサービスに用いられる代表カードの代表カード情報をカード社サーバ３００に送信して代表カード情報が有効であるか否かを確認し、その結果に応じてユーザが代表カードとして選択したカードを、メンバーシップサービスの提供のための代表カードとして登録することができる。
この時、前述したようにユーザが選択した代表カードが複数である場合、メンバーシップサービス提供サーバ１００が複数のカード情報を代表カード情報として受信することができ、代表カード情報に相応するカード社サーバ３００から受信された各々のカード情報の有効有無の確認結果に応じて複数の代表カードが登録されることができる。
【００５４】
仮に複数の代表カード情報のうち有効でないカード情報が含まれた場合は、該カードが代表カードとして登録されず、該カードに対するエラーメッセージがユーザ端末２００に送信されることができる。
代表カード情報の有効有無は、代表カード情報に相応するカード社サーバ３００によって判断されることができる。カード社サーバ３００が代表カード情報に含まれた固有カード番号、カード社情報、ＣＶＣ番号などを用いて代表カード情報の有効有無を判断し、それに応じた結果をメンバーシップサービス提供サーバ１００に送信することができる。
【００５５】
ユーザ端末２００は、メンバーシップサービスが提供される複数の提携社のうち、代表カードを介してメンバーシップサービスの提供を受ける提携社を選択し、提携社選択情報をメンバーシップサービス提供サーバ１００に送信することができる。例えば、メンバーシップサービスが提供される複数の提携社のうち、ユーザが利用しようとする提携社が５個である場合、該５個の提携社をユーザ端末２００において選択する過程を通じて、提携社選択情報をメンバーシップサービス提供サーバ１００に送信することができる。
【００５６】
この時、提携社選択情報は該提携社の会員加入のための提携社会員加入情報を含むことができ、メンバーシップサービス提供サーバ１００が提携社会員加入情報を提携社の提携社サーバ４００に伝達して、該提携社の会員加入手続きも共に進行することができる。
メンバーシップサービス提供サーバ１００は、メンバーシップサービスの提供を受ける提携社の提携社選択情報を受信すれば、ユーザ情報、提携社選択情報および代表カード情報を互いにマッチングして格納する。
【００５７】
この時、ユーザがメンバーシップサービス提供サーバ１００に複数の代表カードを登録した場合であれば、登録された複数の代表カードとメンバーシップサービスの提供を受ける提携社をマッチングして登録することができる。
メンバーシップサービス提供サーバ１００は、ユーザ情報、提携社選択情報に含まれた１つ以上の提携社情報および複数の代表カード情報を互いにマッチングされるように一括マッチングすることができる。その後、ユーザ情報、提携社選択情報および代表カード情報がマッチングされたマッチング結果情報はユーザ端末に送信されることができる。
【００５８】
例えば、ユーザ「淳子」が登録した提携社は提携社Ａ、Ｂ、Ｃであり、代表カードは代表カードＩ、ＩＩ、ＩＩＩ、ＩＶである場合、提携社Ａ、Ｂ、Ｃと代表カードＩ、ＩＩ、ＩＩＩ、ＩＶが互いにマッチングされることができる。すなわち、提携社Ａと代表カードＩ、ＩＩ、ＩＩＩ、ＩＶ、提携社Ｂと代表カードＩ、ＩＩ、ＩＩＩ、ＩＶ、および提携社Ｃと代表カードＩ、ＩＩ、ＩＩＩ、ＩＶが一括マッチングして格納されることができる。
【００５９】
一方、ユーザがメンバーシップサービスの提供を受けようとして選択した提携社選択情報に応じた提携社のうち、ただ１つの代表カードのみマッチングになる単一提携社が含まれている場合、単一提携社は登録された複数の代表カードのうちいずれか１つ（例；主な代表カード）の代表カードとのみマッチングされることができる。
一方、メンバーシップサービス提供サーバ１００は、提携社選択情報に相応する提携社サーバから代表カードを用いたメンバーシップサービスの要請が受信されれば、該ユーザにメンバーシップサービス、すなわち、該提携社のマイレージ、スタンプまたはクーポンのうち少なくとも１つを提供する。提供されたマイレージ、スタンプまたはクーポンのうち少なくとも１つはユーザ別に積み立てられ、その後、積み立てられたマイレージ、スタンプまたはクーポンはユーザによって該提携社において使用されることができる。
【００６０】
ここで、代表カードを用いた決済はカードリーダー（ｃａｒｄ  ｒｅａｄｅｒ）に決済カードのマグネチック線を通して決済する方式が用いられても良く、この他にもＮＦＣタグ（ｎｅａｒ  ｆｉｅｌｄ  ｃｏｍｍｕｎｉｃａｔｉｏｎ  ｔａｇ）を用いた近距離無線通信方式による決済方式が用いられても良いことは勿論である。また、代表カードを用いてインターネットなどを介したオンライン決済方式が含まれても良く、本発明において決済方式に制限はない。
【００６１】
前記メンバーシップサービスの要請は、ユーザが提携社選択情報に相応する提携社から代表カードを用いてメンバーシップサービスの提供を受けようとする場合、提携社サーバ４００からメンバーシップサービス提供サーバ１００に受信されることができる。この時、メンバーシップサービスの要請は提携社での代表カードを用いた決済要請を含むことができるが、これに限定されない。
【００６２】
その後、ユーザ端末２００はメンバーシップサービス提供サーバ１００に接続して、ユーザに積み立てられたマイレージ、スタンプまたはクーポンの内訳および使用したマイレージ、スタンプまたはクーポンの内訳を確認することができる。
加盟店ＰＯＳ端末６００は、加盟店においてスピーカーを介して出力される音源を指定できるように構成されることができる。加盟店ＰＯＳ端末６００は、音源に予め備えられたＡＤコード（ａｄｖｅｒｔｉｓｅｍｅｎｔ  ｃｏｄｅ）を付加してスピーカーを介して音波として出力するように構成されることができる。
【００６３】
音波は壁を通過することができないので加盟店内にのみ電波受信が可能であり、音波に付加されたＡＤコードはユーザによって認識されない。
ＡＤコードは、提携社選択情報と提携社選択情報のマイレージ、スタンプまたはクーポンのうち少なくとも１つ以上をユーザ端末２００からメンバーシップサービス提供サーバ１００に要請できるように構成される。
【００６４】
ユーザ端末２００においては、スピーカーの音波を検知し、検知された音波からＡＤコードを認識する。ユーザ端末２００には、ＡＤコードを認識し、該動作を実現するためのアプリケーションが予め備えられることが好ましい。
ユーザ端末２００は、認識されたＡＤコードを介して該加盟店に連係した提携社選択情報を認知するように構成されることができ、認知された提携社選択情報がユーザ端末２００に既に登録されているか否かを判断する。
【００６５】
判断の結果、登録されていない場合は、ユーザ端末２００がメンバーシップサービス提供サーバ１００に提携社選択情報を要請して受信し、受信された提携社選択情報をユーザ情報および代表カード情報とマッチングして登録するように構成されることができる。
また、ユーザ端末２００は、代表カードを介したメンバーシップサービスの要請を通じて該提携社のマイレージ、スタンプまたはクーポンのうち少なくとも１つを積み立てるように構成されることができる。
【００６６】
一方、判断の結果、登録されている場合は、ユーザ端末２００は、ＡＤコードを介して提供される該提携社のマイレージ、スタンプまたはクーポンのうち少なくとも１つ以上をメンバーシップサービス提供サーバ１００に要請して受信するように構成されることができる。
また、ユーザ端末２００は、受信されたマイレージ、スタンプまたはクーポンを積み立てるか、または積み立てられたマイレージ、スタンプまたはクーポンのうち少なくとも１つ以上を代表カードの決済に利用するように構成されることができる。
【００６７】
図２は、本発明の一実施形態によるメンバーシップサービス提供サーバの構成を示す構成図である。
図２を参照すれば、本発明の一実施形態によるメンバーシップサービス提供サーバ１００は、メンバーシップサービス加入要請受信部１１０、代表カード情報登録部１２０、提携社選択情報受信部１３０、格納部１４０およびメンバーシップサービス提供部１５０を含む。
【００６８】
メンバーシップサービス加入要請受信部１１０は、ユーザ端末からユーザ情報を含むメンバーシップサービスの加入要請を受信する。
代表カード情報登録部１２０は、ユーザ端末からメンバーシップサービスに用いられる代表カードの代表カード情報を受信して登録する。前述したように、代表カードはメンバーシップサービスを使用するためのカードであり、ユーザが所持しているカードのうち少なくともいずれか１つをユーザが代表カードに指定し、登録することができる。ここで、ユーザが代表カードに指定したカードが複数である場合、指定された複数のカード情報が代表カード情報として登録されることができる。
【００６９】
この時、代表カード情報は、カードの固有カード番号、カード社情報、ＣＶＣ番号などを含むことができる。例えば、ユーザが所持したカードのうち複数のカードを選択して代表カードとして登録するために、該カードのカード番号１６桁、カード社情報、ＣＶＣ情報を入力することにより、代表カード情報が代表カード情報登録部１２０に受信されることができる。
【００７０】
代表カード情報登録部１２０は、ユーザ端末から複数の代表カードのうち、主な代表カードとして用いられるカードに関する選択情報を受信して、主な代表カード選択情報を代表カード情報と共に格納することができる。
代表カード情報登録部１２０は、代表カード情報有効有無確認部（図示せず）および代表カード登録決定部（図示せず）を含むことができる。
【００７１】
代表カード情報有効有無確認部は、ユーザ端末から代表カード情報を受信すれば、代表カード情報に相応するカード社サーバ（図示せず）に代表カード情報が有効であるか否かに関する確認要請を送信し、カード社サーバから代表カード情報が有効であるか否かを受信することができる。この時、受信された代表カード情報が複数である場合、代表カード情報有効有無確認部は、受信した複数の代表カード情報に相応するカード社サーバの各々から代表カード情報の各々が有効であるか否かを受信することができる。
【００７２】
代表カード登録決定部１２０は、代表カード情報の有効有無に応じて代表カードの登録可否を決定することができる。
代表カード登録決定部１２０は、カード社サーバから送信された代表カード情報の有効有無の確認結果に応じて、ユーザ端末が送信した代表カード情報が有効であれば、ユーザ端末から送信した代表カード情報に該当するカードを代表カードとして登録し、代表カード情報が有効でなければ、エラーメッセージをユーザ端末に送信することができる。
【００７３】
代表カードが複数である場合、代表カード登録決定部は、複数の代表カード情報のうち有効でないカード情報が含まれていれば、該カードのエラーメッセージをユーザ端末に送信することができ、該カードを代表カードとして登録しない。
このように、複数の代表カード情報のうち代表カード情報が有効な場合にのみ、該カードが代表カードとして登録されることができる。
【００７４】
提携社選択情報受信部１３０は、メンバーシップサービスが提供される複数の提携社のうち、代表カードを介してメンバーシップサービスの提供を受ける提携社の選択情報をユーザ端末から受信する。
提携社選択情報受信部１３０は、提携社会員加入情報送受信部（図示せず）をさらに含むことができる。
【００７５】
提携社会員加入情報送受信部は、ユーザ端末から提携社選択情報に相応する提携社の会員加入のための提携社会員加入情報を受信し、提携社会員加入情報を提携社の提携社サーバに送信することができる。
例えば、ユーザがユーザ端末を介して自身が選択した提携社の「約款／個人情報」に対する同意情報および該提携社の提携社会員加入のための会員加入情報をメンバーシップサービス提供サーバ１００に送信して該提携社の会員加入手続きを同時に処理することができる。これにより、ユーザは簡単な手続きによって提携社選択情報に相応する提携社に会員加入をすることができ、該提携社のメンバーシップサービスの提供を受けることができる。
【００７６】
格納部１４０は、ユーザ情報、提携社選択情報および代表カード情報をマッチングして格納する。
代表カード情報登録部１２０に受信された代表カード情報が複数である場合、格納部１４０はユーザ情報、提携社選択情報に応じた提携社情報および複数の代表カード情報を一括マッチングして格納することができる。例えば、複数の代表カードはカード１、２、３であり、メンバーシップサービスの提供を受ける提携社は提携社Ａ、Ｂ、Ｃである場合、カード１、２、３と提携社Ａ、Ｂ、Ｃが互いにマッチングされることができる。すなわち、カード１と提携社Ａ、Ｂ、Ｃ、カード２と提携社Ａ、Ｂ、Ｃおよびカード３と提携社Ａ、Ｂ、Ｃが一括的にマッチングして格納されることができる。
【００７７】
一方、提携社選択情報に応じた提携社のうち、ただ１つの代表カードのみマッチングが可能な単一提携社が含まれている場合は、単一提携社は登録された複数の代表カード情報のうちいずれか１つの代表カードとのみマッチングされることができる。例えば、複数の代表カードはカード１、２、３であり、メンバーシップサービスの提供を受ける提携社として選択した提携社はＡ、Ｂ、Ｃであり、提携社Ａが１つの単一カードのみマッチングが可能な単一提携社である場合、提携社Ａにはカード１、２、３のうちカード１のみがマッチングされることができる。すなわち、提携社Ａにはカード１、提携社ＢおよびＣにはカード１、２、３が登録されることができる。
【００７８】
この時、カード１は、代表カードのうち、ユーザまたはメンバーシップサービス提供サーバ１００によって主な代表カードに設定されたカードであることができる。
例えば、ユーザは本人が所持しているカードのうち代表カードを選択する時、選択した代表カードのうちいずれか１つを主な代表カードとして選択して、代表カード情報の登録時に共にメンバーシップサービス提供サーバ１００に登録することができる。
【００７９】
また、メンバーシップサービス提供サーバ１００は、カード使用の頻度順、登録時間順などに応じて、登録された複数の代表カードのうちいずれか１つを主な代表カードに自動設定することができる。メンバーシップサービス提供サーバ１００は、代表カードとして登録された複数の代表カードのうち最も多く使用されたカード、または複数の代表カードのうちユーザによって最も早く登録された代表カードを主な代表カードとして決定することができる。
【００８０】
一方、提携社が単一提携社であるか否かは提携社サーバを介してリアルタイムで確認するか、または単一提携社リスト情報を予め受信して管理しているメンバーシップサービス提供サーバ１００が単一提携社であるか否かを直接確認することができる。
一方、格納部１４０によって複数の代表カード情報と提携社選択情報に応じた提携社情報が一括的にマッチングされる場合、メンバーシップサービス提供サーバ１００は複数の代表カードと提携社との間のマッチング結果情報をユーザ端末に送信することができ、ユーザ端末は受信されたマッチング結果情報をＳＭＳ、プッシュ（Ｐｕｓｈ）メッセージ、ポップアップなどの形態で画面に表示することができる。
【００８１】
仮に提携社選択情報に単一提携社情報が含まれた場合は、メンバーシップサービス提供サーバ１００が主な代表カードと単一提携社がマッチングされたマッチング結果情報をユーザ端末に別途に送信することもできる。
前述した例のように、提携社Ａが単一提携社であるためにカード１のみマッチングになった場合、カード１と提携社Ａのマッチング結果情報が別途にユーザ端末に送信されて、ポップアップ画面が表示されることもできる。この時、ユーザがユーザ端末の画面を介してカード１と提携社Ａとの間にマッチングされたことを確認することができ、仮にユーザが単一提携社である提携社Ａと他カードをマッチングすることを望む場合は、ユーザ端末を介して提携社Ａと他の代表カードを選択して、提携社Ａと他の代表カードが互いにマッチングされるように変更要請をメンバーシップサービス提供サーバ１００に送信することもできる。
【００８２】
例えば、ユーザがユーザ端末に表示されたポップアップウィンドウにおいてカード１および単一提携社Ａのマッチング結果を確認した後、ポップアップウィンドウに表示された「変更ボタン」を選択し、カード２を選択する過程を通じて単一提携社Ａとカード２がマッチングされるように変更することができる。
このように、本発明は、登録された複数の代表カードとメンバーシップサービスの提供を受けようとする１つ以上の提携社が一括マッチングされることにより、各々のカードと色々な提携社を互いに一々マッチングしなければならないという複雑な手続きを省略し、一度に各々のカードと１つ以上の提携社に対するメンバーシップサービスをマッチングすることができるのでユーザの便宜性が増大できる。
【００８３】
メンバーシップサービス提供部１５０は、提携社選択情報に相応する提携社サーバから代表カードを介したメンバーシップサービスの要請が受信されれば、該ユーザにメンバーシップサービス、すなわち、マイレージ、スタンプまたはクーポンのうち少なくともいずれか１つを提供する。例えば、ユーザは、本人が選択した代表カードを介して自身が選択した提携社においてメンバーシップサービスを利用して決済を要請する場合、提携社から提供するマイレージが積み立てられるか、または既に積み立てられたマイレージを使用して決済代金の一部を決済することができ、割引クーポンがある場合は割引クーポンを使用して割引した金額で決済することができる。
【００８４】
仮に、登録された代表カードが複数であり、ユーザが登録された複数の代表カードのうちいずれか１つを介し、代表カードとマッチングされた提携社において決済要請をする場合、決済要請した提携社に相応する提携社サーバが、前述した複数の代表カードのうちいずれか１つの代表カードを介したメンバーシップサービスの要請をメンバーシップサービス提供部１５０に送信することができる。
【００８５】
メンバーシップサービス提供部１５０は、メンバーシップサービスの要請を送信した提携社サーバに相応する提携社情報と前記決済要請した代表カードの情報がマッチングされているか否かを確認して、該提携社から提供するマイレージ、スタンプまたはクーポンのうち少なくとも１つをユーザに提供することができる。
メンバーシップサービス提供部１５０は、変動事項情報提供部（図示せず）および利用内訳情報提供部（図示せず）を含むことができる。
【００８６】
変動事項情報提供部は、ユーザに提供したマイレージ、スタンプまたはクーポンのうち少なくとも１つに変動事項が発生する場合、マイレージ、スタンプまたはクーポンの変動事項情報をユーザ端末に提供することができる。すなわち、変動事項情報提供部は、提携社での代表カードを介したメンバーシップサービスの利用時、ユーザがマイレージ、スタンプまたはクーポンを積み立てたり使ったりして変動事項が発生すれば、それに応じたマイレージ、スタンプまたはクーポンの変動事項情報をユーザ端末に提供することができる。
【００８７】
利用内訳情報提供部は、ユーザ端末からメンバーシップサービス、すなわち、マイレージ、スタンプまたはクーポンの利用内訳情報の送信要請を受信すれば、ユーザ端末にユーザ情報に相応するユーザのマイレージ、スタンプまたはクーポンの利用内訳情報を提供することができる。例えば、ユーザがユーザ端末を介してメンバーシップサービスと関連したウェブページにおいて自身に積み立てられたマイレージ、スタンプまたはクーポンのうち少なくとも１つの利用内訳情報を要請すれば、自身に積み立てられたマイレージ、スタンプまたはクーポンの現況情報と、これらの利用内訳情報を受信することができる。
【００８８】
一方、メンバーシップサービス提供部１５０は、ユーザ端末２００から提供を受けたマイレージ、スタンプまたはクーポンのうち少なくとも一部をユーザ端末２００の要請に応じて他のユーザ端末（図示せず）に提供するように構成されることができる。すなわち、ユーザ端末２００は、本発明のアプリケーションが設置された他のユーザ端末にもユーザ自身のマイレージやクーポンを移転提供するようにメンバーシップサービス提供部１５０に要請し、メンバーシップサービス提供部１５０はこれを移転提供できるように構成されることができる。
【００８９】
また、メンバーシップサービス提供部１５０は、ユーザ端末２００から提供を受けた所定提携社のマイレージ、スタンプまたはクーポンのうち少なくとも一部をユーザ端末２００の要請に応じて他の提携社のマイレージ、スタンプまたはクーポンに転換するように構成されることができる。すなわち、Ａ提携社のマイレージを所定の転換比率に応じてＢ提携社のマイレージに転換するように構成されることができる。
【００９０】
また、メンバーシップサービス提供部１５０は、前述したように積み立て後の転換だけでなく、積み立て時の転換積み立てもできるように構成されることができる。より具体的には、メンバーシップサービス提供部１５０は、ユーザ端末２００から提供を受けた所定提携社のマイレージの少なくとも一部をユーザ端末２００の要請に応じてスタンプまたはクーポンに転換して積み立てるように構成されることができる。同じように、メンバーシップサービス提供部１５０は、所定提携社のスタンプの少なくとも一部をユーザ端末２００の要請に応じてマイレージまたはクーポンに転換して積み立てるように構成されることができ、メンバーシップサービス提供部１５０は、ユーザ端末２００から提供を受けた所定提携社のクーポンをユーザ端末２００の要請に応じてマイレージまたはスタンプに転換して積み立てるように構成されることができる。
【００９１】
一方、メンバーシップサービス提供部１５０は、代表カードの使用に応じてメンバーシップサービスが提供されることは勿論、代表カードの使用と関係なく商品に印刷／付着した情報の登録を受ければマイレージなどを提供するように構成されることもできる。より具体的には、メンバーシップサービス提供部１５０は、ユーザ端末２００が商品に印刷または付着したバーコード、ＱＲコード、一連番号またはＲＦＩＤのうち少なくとも１つから取得した情報をメンバーシップサービス提供部１５０に登録すれば、登録された情報に相応するマイレージ、スタンプまたはクーポンをユーザ端末２００に提供するように構成されることができる。
【００９２】
さらに、メンバーシップサービス提供部１５０は、格納部１４０を照会して、ユーザ情報と連係して予め登録されたユーザのＳＮＳアカウントがある場合は、ユーザ端末２００がＳＮＳアカウントを利用してＳＮＳ上で予め約束された所定活動、例えば、特定提携社の広報活動などをすることによって、所定提携社から提供するマイレージ、スタンプまたはクーポンのうち少なくとも一部を積み立てるように構成されることができる。ここで、広報活動とは、特定提携社の広告やイベントに対してＳＮＳ伝達、リプライなどの活動をすることが含まれることができる。
【００９３】
図３は、本発明の他の実施形態によるメンバーシップサービス提供方法を示すフローチャートである。
メンバーシップサービス提供サーバ１００がユーザ端末２００からユーザ情報を含むメンバーシップサービスの加入要請を受信すれば（Ｓ３１０）、メンバーシップサービスの加入手続きが始まる（Ｓ３１１）。
【００９４】
メンバーシップサービス提供サーバ１００は、ユーザ端末２００からメンバーシップサービスに用いられる代表カード情報を受信し（Ｓ３２０）、受信した代表カード情報に相応するカード社サーバ３００に代表カード情報の有効有無に関する確認要請を行う（Ｓ３２１）。この時、代表カード情報は、カード番号、カード社情報、ＣＶＣ番号などを含むことができる。
【００９５】
この時、代表カードが複数である場合、メンバーシップサービス提供サーバ１００は、ユーザ端末２００から複数の代表カード情報を受信することができ（Ｓ３２０）、複数の代表カード情報に相応するカード社サーバ３００の各々に代表カード情報の有効有無に関する確認要請を行うことができる（Ｓ３２１）。
カード社サーバ３００は、代表カード情報が有効であるか否かを判断する（Ｓ３２２）。例えば、カード社サーバ３００は、固有カード番号を含む代表カード情報とカード社サーバに格納されたカード情報とを比較して、ユーザが一致するか、固有カード番号が有効であるかなどを確認して代表カード情報の有効有無を判断することができる。
【００９６】
その後、カード社サーバ３００は、代表カード情報の有効有無をメンバーシップサービス提供サーバ１００に送信する（Ｓ３２３）。
代表カード情報の有効有無を受信したメンバーシップサービス提供サーバ１００は、代表カード情報の有効有無に応じて代表カードの登録可否を決定する（Ｓ３２４）。すなわち、メンバーシップサービス提供サーバ１００は、代表カード情報が有効であれば代表カードとして登録し、そうでなければ登録しない。
【００９７】
代表カード情報が複数である場合は、代表カード情報の各々の有効有無を各カード社サーバ３００から受信し、代表カード情報が有効なカードは代表カードとして登録し、そうでないカードは登録しない。この時、メンバーシップサービス提供サーバ１００は、代表カード情報が有効でなければ、エラーメッセージをユーザ端末２００に送信することができる。
【００９８】
ユーザ端末２００は、メンバーシップサービスが提供される複数の提携社のうち、代表カードを介してメンバーシップサービスの提供を受けようとする提携社を選択して、提携社選択情報をメンバーシップサービス提供サーバ１００に送信する（Ｓ３３０）。
この時、ユーザ端末２００は、提携社選択情報に相応する提携社の会員加入のための提携社会員加入情報を提携社選択情報と共に送信することができる。例えば、ユーザ端末２００は、該提携社の約款／個人情報に対する同意情報および該提携社の提携社会員加入のための会員加入情報をメンバーシップサービス提供サーバ１００に送信して、該提携社の会員加入手続きを同時に処理することができる。
【００９９】
メンバーシップサービス提供サーバ１００は、ユーザ端末２００から受信された提携社会員加入情報を該提携社の提携社サーバ４００に送信することができる（Ｓ３３１）。
提携社サーバ４００は、受信された提携社会員加入情報に基づいて該ユーザを会員として加入させることができる（Ｓ３３２）。
その後、メンバーシップサービス提供サーバ１００は、ユーザ情報、提携社選択情報および代表カード情報をマッチングして格納する（Ｓ３４０）。
【０１００】
メンバーシップサービス提供サーバ１００は、ユーザ情報、提携社選択情報に応じた提携社情報および複数の代表カード情報を一括マッチングして格納することができる。仮に、提携社選択情報に相応する提携社のうち、ただ１つの代表カードのみマッチングが可能な単一提携社が含まれている場合、単一提携社情報は、複数の代表カード情報のうちいずれか１つの代表カード情報のみが互いにマッチングされることができる。
【０１０１】
この時、単一提携社とマッチングされる代表カードは、ユーザによって予め選択された主な代表カードであるか、またはメンバーシップサービス提供サーバ１００が複数の代表カードのうちいずれか１つの代表カードを主な代表カードに選定して、単一提携社情報とマッチングさせることができる。
メンバーシップサービス提供サーバ１００は、ユーザ情報、代表カード情報および提携社選択情報がマッチングされたマッチング結果情報をユーザ端末２００に送信することができる。
【０１０２】
メンバーシップサービス提供サーバ１００は、提携社選択情報に相応する提携社の提携社サーバ４００から代表カードを介したメンバーシップサービスの要請が受信されれば（Ｓ３５０）、該ユーザにマイレージ、スタンプまたはクーポンのうち少なくとも１つを提供する（Ｓ３６０）。
仮にユーザが登録した代表カードが複数である場合、複数の代表カードのうちいずれか１つの代表カードを介し、いずれか１つの代表カードとマッチングされた提携社において決済要請をする場合、決済要請した提携社に相応する提携社サーバからメンバーシップサービスの要請を受信し、該提携社サーバに相応する提携社情報と決済要請した代表カード情報がマッチングされているか否かを確認した後、該提携社から提供するマイレージ、スタンプまたはクーポンのうち少なくとも１つをユーザに提供することができる（Ｓ３６０）。
【０１０３】
メンバーシップサービス提供サーバ１００は、ユーザ端末２００にマイレージ、スタンプまたはクーポンの変動事項情報または利用内訳情報を提供することができる。具体的には、メンバーシップサービス提供サーバ１００は、ユーザに提供したマイレージ、スタンプまたはクーポンのうち少なくとも１つに変動事項が発生する場合、マイレージ、スタンプまたはクーポンの変動事項情報をユーザ端末２００に送信することができる。また、ユーザ端末２００からマイレージ、スタンプまたはクーポンの利用内訳情報の送信要請を受信すれば、ユーザ端末２００に該ユーザ情報に相応するユーザのマイレージ、スタンプまたはクーポンの利用内訳情報を提供することができる。
【０１０４】
一方、メンバーシップサービス提供サーバ１００は、ユーザ端末２００から提供を受けたマイレージ、スタンプまたはクーポンのうち少なくとも一部をユーザ端末２００の要請に応じて他のユーザ端末（図示せず）に提供するように構成することができる。すなわち、ユーザ端末２００は、本発明のアプリケーションが設置された他のユーザ端末にもユーザ自身のマイレージ、スタンプまたはクーポンを移転提供するように要請することができる。必要な場合、クーポンやマイレージを集めて一人が決済する時に利用することができる。
【０１０５】
また、メンバーシップサービス提供サーバ１００は、ユーザ端末２００から提供を受けた所定提携社のマイレージ、スタンプまたはクーポンのうち少なくとも一部をユーザ端末２００の要請に応じて他の提携社のマイレージ、スタンプまたはクーポンに転換するように構成されることができる。すなわち、Ａ提携社のマイレージを所定の転換比率に応じてＢ提携社のマイレージに転換するように構成されることができる。不要な提携社のマイレージをユーザが所望する提携社のマイレージに転換し、その活用度を高めることができる。
【０１０６】
また、メンバーシップサービス提供サーバ１００は、前述したように積み立て後の転換だけでなく、積み立て時の転換積み立てもできるように構成されることができる。より具体的には、メンバーシップサービス提供サーバ１００は、ユーザ端末２００から提供を受けた所定提携社のマイレージの少なくとも一部をユーザ端末２００の要請に応じてスタンプまたはクーポンに転換して積み立てるように構成されることができる。同じように、メンバーシップサービス提供部１５０は、所定提携社のスタンプの少なくとも一部をユーザ端末２００の要請に応じてマイレージまたはクーポンに転換して積み立てるように構成されることができ、メンバーシップサービス提供部１５０は、ユーザ端末２００から提供を受けた所定提携社のクーポンをユーザ端末２００の要請に応じてマイレージまたはスタンプに転換して積み立てるように構成されることができる。
【０１０７】
一方、メンバーシップサービス提供サーバ１００は、代表カードの使用に応じてメンバーシップサービスが提供されることは勿論、代表カードの使用と関係なく商品に印刷／付着した情報の登録を受ければ、マイレージなどを提供するように構成されることもできる。より具体的には、メンバーシップサービス提供サーバ１００は、ユーザ端末２００が商品に印刷または付着したバーコード、ＱＲコード、一連番号またはＲＦＩＤのうち少なくとも１つから取得した情報をメンバーシップサービス提供サーバ１００に登録すれば、登録された情報に相応するマイレージ、スタンプまたはクーポンをユーザ端末２００に提供するように構成されることができる。
【０１０８】
また、メンバーシップサービス提供サーバ１００は、ユーザ情報と連係して予め登録されたユーザのＳＮＳアカウントがある場合は、ユーザ端末２００がＳＮＳアカウントを利用してＳＮＳ上で予め約束された所定活動、例えば、特定提携社の広報活動などをする場合、所定提携社から提供するマイレージ、スタンプまたはクーポンのうち少なくとも一部を積み立てるように構成されることができる。ここで、広報活動とは、特定提携社の広告やイベントに対してＳＮＳ伝達、リプライなどの活動をすることが含まれることができる。
【０１０９】
加盟店ＰＯＳ端末６００は、加盟店においてスピーカーを介して出力される音源を指定できるように構成されることができる。加盟店ＰＯＳ端末６００は、音源に予め備えられたＡＤコード（ａｄｖｅｒｔｉｓｅｍｅｎｔ  ｃｏｄｅ）を付加してスピーカーを介して音波として出力するように構成されることができる。
音波は壁を通過することができないので加盟店内にのみ電波受信が可能であり、音波に付加されたＡＤコードはユーザによって認識されない。
【０１１０】
ＡＤコードは、提携社選択情報と提携社選択情報のマイレージ、スタンプまたはクーポンのうち少なくとも１つ以上をユーザ端末２００からメンバーシップサービス提供サーバ１００に要請できるように構成される。
ユーザ端末２００においては、スピーカーの音波を検知し、検知された音波からＡＤコードを認識する。ユーザ端末２００には、ＡＤコードを認識し、該動作を実現するためのアプリケーションが予め備えられることが好ましい。
【０１１１】
ユーザ端末２００は、認識されたＡＤコードを介して該加盟店に連係した提携社選択情報を認知するように構成されることができ、認知された提携社選択情報がユーザ端末２００に既に登録されているか否かを判断する。
判断の結果、登録されていない場合は、ユーザ端末２００がメンバーシップサービス提供サーバ１００に提携社選択情報を要請して受信し、受信された提携社選択情報をユーザ情報および代表カード情報とマッチングして登録するように構成されることができる。
【０１１２】
また、ユーザ端末２００は、代表カードを介したメンバーシップサービスの要請を通じて該提携社のマイレージ、スタンプまたはクーポンのうち少なくとも１つを積み立てるように構成されることができる。
一方、判断の結果、登録されている場合は、ユーザ端末２００は、ＡＤコードを介して提供される該提携社のマイレージ、スタンプまたはクーポンのうち少なくとも１つ以上をメンバーシップサービス提供サーバ１００に要請して受信するように構成されることができる。
【０１１３】
また、ユーザ端末２００は、受信されたマイレージ、スタンプまたはクーポンを積み立てるか、または積み立てられたマイレージ、スタンプまたはクーポンのうち少なくとも１つ以上を代表カードの決済に利用するように構成されることができる。
この時、ユーザ端末２００はプッシュメッセージを介して直ちに提携社選択情報をメンバーシップサービス提供サーバ１００に登録／格納するように要請することができ、該加盟店において決済をしつつ、直ちに提携社のクーポンやマイレージ、またはスタンプを積み立てることができるようになる。予め登録／格納していない提携社選択情報を直ちに登録／格納して利用できるようにするのに非常に有用であり、予め該加盟店の提携社選択情報を知らなくても自動で登録／格納し、積み立て／使用まで可能となるように構成される。
【０１１４】
本発明によれば、ユーザがメンバーシップサービスを利用するための、既に所持したカードのうち１つを代表カードとして登録することにより、色々な提携社のメンバーシップサービスの提供を便利に受けることができる。また、メンバーシップサービスの提供を受けるための別のカード発給が必要ないため、カード社はカードの製作費用を節減することができる。
【０１１５】
一方、メンバーシップサービス提供サーバ１００は、ユーザにメンバーシップサービスの提供を受ける提携社を選択するようにすることにより、メンバーシップサービスが提供される提携社に対するメンバーシップサービスを一括的に全て提供するのではなく、ユーザ別に個別化／最適化したメンバーシップサービスを提供することができる。
また、カードと提携社との間に一々マッチングして登録する複雑な手続きを経ることなく、簡便に複数の代表カード情報と１つ以上の提携社選択情報を一括マッチングして登録できるという便利さを提供する。
【０１１６】
以上、実施形態を参照して説明したが、該技術分野の熟練した当企業であれば、下記の特許請求の範囲に記載された本発明の思想および領域を逸脱しない範囲内で本発明を様々に修正および変更することができることを理解するであろう。
【符号の説明】
【０１１７】
１００  ・・・メンバーシップサービス提供サーバ
１１０  ・・・メンバーシップサービス加入要請受信部
１２０  ・・・代表カード情報登録部
１３０  ・・・提携社選択情報受信部
１４０  ・・・格納部
１５０  ・・・メンバーシップサービス提供部
２００  ・・・ユーザ端末
３００  ・・・カード社サーバ
４００  ・・・提携社サーバ
５００  ・・・ＳＮＳサーバ
６００  ・・・加盟店ＰＯＳ端末
【図１】
2014130604.tif 000003
【図２】
2014130604.tif 000004
【図３】
2014130604.tif 000005